(57)【要約】【課題】引戸を閉じた際、引戸と出入口となる開口部との間に形成される隙間、特に引戸の戸尻側に形成される隙間を独自の可動式の遮蔽プレートで塞ぐことにより、火災時に炎、煙、熱が隣室に侵入するのを効果的に防ぐ。【解決手段】吊下げ式の引戸10の閉鎖状態において引戸10と出入口となる開口部Ｏとの間に形成される隙間Ｓを塞ぐ遮蔽プレート20を備える。遮蔽プレート20は、引戸10の高さに相当する高さと引戸10の厚さより大きい幅W2とを有し、幅方向の先端部に屈曲部22を有し断面Ｌ字状に形成され、屈曲部22と反対側の端部において開口部Ｏの戸尻側の縦辺位置に、鉛直方向を軸心として回動可能に設けられる。火災時に遮蔽プレート20が作動して出入口側の所定位置から引戸側に向けて回動し、閉鎖した引戸10の戸尻13と、開口部と反対側の戸尻の出隅部13aとが遮蔽プレート20によって覆われる。【選択図】図５
2010068946.tif 000002
【特許請求の範囲】
【請求項１】
吊下げ式の引戸の閉鎖状態において引戸と出入口となる開口部との間に形成される隙間を塞ぐ遮蔽プレートを備えてなり、
前記遮蔽プレートは、引戸の高さに相当する高さと引戸の厚さより大きい幅とを有し、幅方向の先端部に屈曲部を有し断面Ｌ字状に形成され、前記屈曲部と反対側の端部において前記開口部の戸尻側の縦辺位置に、鉛直方向を軸心として回動可能に設けられており、
少なくとも火災時に前記遮蔽プレートが作動して出入口側の所定位置から引戸側に向けて回動することにより、引戸の閉鎖状態において、閉鎖した引戸の戸尻と、前記開口部と反対側の戸尻の出隅部とを前記遮蔽プレートによって覆うように構成した、吊下げ式引戸用防火装置。
【請求項２】
前記遮蔽プレートを出入口側の所定位置に固定可能なロック機構と、該ロック機構による固定を火災時に解除する機構とを備え、
通常の使用時において前記ロック機構によって前記遮蔽プレートを所定位置に固定し得るとともに、火災時に前記ロック機構による固定が解除されることにより、前記遮蔽プレートが作動するように構成した、請求項１に記載の吊下げ式引戸用防火装置。
【請求項３】
前記ロック機構は、前記遮蔽プレートに、該遮蔽プレートを引戸側に向けて回動させるバネ力が付勢されている状態で、前記遮蔽プレートを出入口側の所定位置に固定するものである、請求項２に記載の吊下げ式引戸用防火装置。
【請求項４】
前記引戸は自閉装置を備え、
前記ロック機構による固定を解除可能な機構を備え、
通常の使用時において前記ロック機構を解除することを選択することにより、引戸の開閉に追随して前記遮蔽プレートが回動するように構成され、かつ
前記遮蔽プレートの、閉鎖した引戸の戸尻を覆う面側に、引戸の開閉時に引戸の背面に当接可能なガイドローラーを備えた、請求項３に記載の吊下げ式引戸用防火装置。
【請求項５】
吊下げ式の引戸の閉鎖状態において引戸と出入口となる開口部との間に形成される隙間を塞ぐ遮蔽プレートを備えてなり、
前記遮蔽プレートは、引戸の高さに相当する高さと引戸の厚さより大きい幅を有し、幅方向の先端部に屈曲部を有し断面Ｌ字状に形成され、前記屈曲部と反対側の端部において前記開口部の戸先側の縦辺位置に、鉛直方向を軸心として回動可能に設けられており、
少なくとも火災時に前記遮蔽プレートが作動して出入口側の所定位置から引戸側に向けて回動することにより、引戸の閉鎖状態において、閉鎖した引戸の戸先と、前記開口部と反対側の戸先の出隅部とを前記遮蔽プレートによって覆うように構成した、吊下げ式引戸用防火装置。
【請求項６】
吊下げ式の引戸の閉鎖状態において引戸と出入口となる開口部との間に形成される隙間を塞ぐ遮蔽プレートを備えてなり、
前記遮蔽プレートは、前記開口部を形成する縦枠の内面の端部に、鉛直方向を軸心として回動可能に設けられており、
少なくとも火災時に前記遮蔽プレートが作動して前記縦枠の内面に沿った位置から引戸側に向けて回動することにより、引戸の閉鎖状態において、閉鎖した引戸の背面に前記遮蔽プレートがほぼ当接するように構成した、吊下げ式引戸用防火装置。
【請求項７】
吊下げ式の引戸の閉鎖状態において引戸と出入口となる開口部との間に形成される隙間を塞ぐ遮蔽プレートを備えてなり、
前記遮蔽プレートは、前記開口部を形成する横枠の内面の端部に、水平方向を軸心として回動可能に設けられており、
少なくとも火災時に前記遮蔽プレートが作動して前記横枠の内面に沿った位置から引戸側に向けて回動することにより、引戸の閉鎖状態において、閉鎖した引戸の背面に前記遮蔽プレートがほぼ当接するように構成した、吊下げ式引戸用防火装置。
【請求項８】
吊下げ式の引戸の閉鎖状態において引戸と出入口となる開口部との間に形成される隙間を塞ぐ遮蔽プレートを備えてなり、
前記遮蔽プレートは、前記開口部を形成する床部に、水平方向を軸心として回動可能に設けられており、
少なくとも火災時に前記遮蔽プレートが作動して前記床部に沿った位置から引戸側に向けて回動することにより、引戸の閉鎖状態において、閉鎖した引戸の背面に前記遮蔽プレートがほぼ当接するように構成した、吊下げ式引戸用防火装置。
【発明の詳細な説明】
【技術分野】
【０００１】
本発明は、火災時に炎、煙、熱が隣室に侵入するのを効果的に防ぐことのできる、吊下げ式引戸用防火装置に関する。
【背景技術】
【０００２】
レール上を走行する吊車によりドアを支持して開閉するようにした引戸においては、引戸を閉じた際、引戸と引戸の戸尻側の間仕切り（壁部）との間に隙間が形成され、この隙間から炎、煙等が漏れて隣室へと侵入してしまうという問題があった。
特許文献１には、引き戸と間仕切りとの間の隙間を極力抑えて火が漏れないようにした防火戸の隙間防止構造として、「防火戸１の戸尻には戸尻部材２を取付けし、防火戸１の表面４との間に隙間６を残して重合片５を戸先側へ屈曲して延ばし、一方、間口に設けた三方枠の縦桟７には縦桟部材８を取付けし、縦桟部材８には縦桟７の表面１０との間に隙間１１を介在して重合片９を形成し、防火戸１を閉じた場合に、この重合片９は戸尻部材２の重合片５と平行して防火戸表面４との間に形成した隙間６に位置させる。」という構造が記載されている（要約）。
しかし、上記技術は、防火戸１の戸尻に戸尻部材２を直にネジ止めして取り付けるものであるため、火災の際、戸尻部材２を介して戸尻に直接熱が伝わり、この熱の伝導によって戸の反りを生じる。これを防ぐためには戸の骨組強度を強くする必要があり、そうすると戸の重量や費用が嵩むという問題がある。
【０００３】
【特許文献１】特開平１０−９９４６３号公報
【発明の開示】
【発明が解決しようとする課題】
【０００４】
本発明は上記事情に鑑み開発されたもので、吊下げ式引戸用防火装置に関し、引戸を閉じた際、引戸と出入口となる開口部（間仕切りや枠部によって形成される。）との間に形成される隙間、特に引戸の戸尻側に形成される隙間を独自の可動式の遮蔽プレートで塞ぐことにより、火災時に炎、煙、熱が隣室に侵入するのを効果的に防ぐこと、引戸の戸尻部分への加熱を抑えること等を目的とする。
【課題を解決するための手段】
【０００５】
（１）吊下げ式の引戸の閉鎖状態において引戸と出入口となる開口部との間に形成される隙間を塞ぐ遮蔽プレートを備えてなり、
前記遮蔽プレートは、引戸の高さに相当する高さと引戸の厚さより大きい幅とを有し、幅方向の先端部に屈曲部を有し断面Ｌ字状に形成され、前記屈曲部と反対側の端部において前記開口部の戸尻側の縦辺位置に、鉛直方向を軸心として回動可能に設けられており、
少なくとも火災時に前記遮蔽プレートが作動して出入口側の所定位置から引戸側に向けて回動することにより、引戸の閉鎖状態において、閉鎖した引戸の戸尻と、前記開口部と反対側の戸尻の出隅部とを前記遮蔽プレートによって覆うように構成した、吊下げ式引戸用防火装置である。
戸尻とは、引戸の戸当りと反対側に位置する端面（側面）をいい、戸先とは、引戸の戸当りの側の端面（側面）をいう。
また、出入口側とは、引戸を基準として、引戸の背面側、つまり出入口、開口部が形成される間仕切りの側をいい、引戸側とは、引戸を基準として引戸の正面側、あるいは間仕切り、開口部、枠から見て引戸の側をいう。
（２）前記遮蔽プレートを出入口側の所定位置に固定可能なロック機構と、該ロック機構による固定を火災時に解除する機構とを備え、
通常の使用時において前記ロック機構によって前記遮蔽プレートを所定位置に固定し得るとともに、火災時に前記ロック機構による固定が解除されることにより、前記遮蔽プレートが作動するように構成した。
（３）前記ロック機構は、前記遮蔽プレートに、該遮蔽プレートを引戸側に向けて回動させるバネ力が付勢されている状態で、前記遮蔽プレートを出入口側の所定位置に固定するものである。
（４）前記引戸は自閉装置を備え、
前記ロック機構を解除可能な機構を備え、
通常の使用時において前記ロック機構を解除することを選択することにより、引戸の開閉に追随して前記遮蔽プレートが回動するように構成され、かつ
前記遮蔽プレートの、閉鎖した引戸の戸尻を覆う面側に、引戸の開閉時に引戸の背面に当接可能なガイドローラーを備えた。
（５）吊下げ式の引戸の閉鎖状態において引戸と出入口となる開口部との間に形成される隙間を塞ぐ遮蔽プレートを備えてなり、
前記遮蔽プレートは、引戸の高さに相当する高さと引戸の厚さより大きい幅を有し、幅方向の先端部に屈曲部を有し断面Ｌ字状に形成され、前記屈曲部と反対側の端部において前記開口部の戸先側の縦辺位置に、鉛直方向を軸心として回動可能に設けられており、
少なくとも火災時に前記遮蔽プレートが作動して出入口側の所定位置から引戸側に向けて回動することにより、引戸の閉鎖状態において、閉鎖した引戸の戸先と、前記開口部と反対側の戸先の出隅部とを前記遮蔽プレートによって覆うように構成した、吊下げ式引戸用防火装置である。
（６）吊下げ式の引戸の閉鎖状態において引戸と出入口となる開口部との間に形成される隙間を塞ぐ遮蔽プレートを備えてなり、
前記遮蔽プレートは、前記開口部を形成する縦枠の内面の端部に、鉛直方向を軸心として回動可能に設けられており、
少なくとも火災時に前記遮蔽プレートが作動して前記縦枠の内面に沿った位置から引戸側に向けて回動することにより、引戸の閉鎖状態において、閉鎖した引戸の背面に前記遮蔽プレートがほぼ当接するように構成した、吊下げ式引戸用防火装置である。
（７）吊下げ式の引戸の閉鎖状態において引戸と出入口となる開口部との間に形成される隙間を塞ぐ遮蔽プレートを備えてなり、
前記遮蔽プレートは、前記開口部を形成する横枠の内面の端部に、水平方向を軸心として回動可能に設けられており、
少なくとも火災時に前記遮蔽プレートが作動して前記横枠の内面に沿った位置から引戸側に向けて回動することにより、引戸の閉鎖状態において、閉鎖した引戸の背面に前記遮蔽プレートがほぼ当接するように構成した、吊下げ式引戸用防火装置である。
（８）吊下げ式の引戸の閉鎖状態において引戸と出入口となる開口部との間に形成される隙間を塞ぐ遮蔽プレートを備えてなり、
前記遮蔽プレートは、前記開口部を形成する床部に、水平方向を軸心として回動可能に設けられており、
少なくとも火災時に前記遮蔽プレートが作動して前記床部に沿った位置から引戸側に向けて回動することにより、引戸の閉鎖状態において、閉鎖した引戸の背面に前記遮蔽プレートがほぼ当接するように構成した、吊下げ式引戸用防火装置である。
【発明の効果】
【０００６】
（１）少なくとも火災時に遮蔽プレートが作動して出入口側の所定位置から引戸側に向けて回動することにより、引戸の閉鎖状態において、引戸と出入口となる開口部との間に形成される隙間が塞がれるとともに、閉鎖した引戸の戸尻と、開口部と反対側の戸尻の出隅部とが遮蔽プレートによって覆われ、これにより、火災時に炎、煙、熱が隣室に侵入するのを効果的に防ぐことができる。また、遮蔽プレートは、引戸に直に固定されないので、引戸の戸尻部分への加熱を抑えることができる。
（２）通常の使用時においてロック機構によって遮蔽プレートを所定位置に固定し得るとともに、火災時に該ロック機構による固定が解除されることにより、遮蔽プレートが作動するように構成したので、通常の使用時において引戸の開閉の都度、遮蔽プレートが動作することがなく、炎、煙、熱が隣室に侵入するのを遮蔽プレートによって防ぐ必要な火災時にのみ遮蔽プレートを作動させることができる。
（３）ロック機構は、遮蔽プレートに、遮蔽プレートを引戸側に向けて回動させるバネ力が付勢されている状態で、遮蔽プレートを出入口側の所定位置に固定するため、ロック機構の解除時の遮蔽プレートの動作を行わせる機構が簡単である。
（４）通常の使用時においてロック機構を解除することを選択することにより、引戸の開閉に追随して遮蔽プレートが回動するように構成されているため、火災時に限らず、通常時でも遮蔽プレートが作動するため、安心で確実である。
また、遮蔽プレートの、閉鎖した引戸の戸尻を覆う面側に、引戸の開閉時に引戸の背面に当接可能なガイドローラーを備えたので、遮蔽プレートの屈曲部が引戸の背面に接触するのが防止され、引戸が傷つくこともなく、スムースに引戸の開閉が行われる。
（５）少なくとも火災時に遮蔽プレートが作動して出入口側の所定位置から引戸側に向けて回動することにより、引戸の閉鎖状態において、引戸と出入口となる開口部との間に形成される隙間が塞がれるとともに、閉鎖した引戸の戸先と、開口部と反対側の戸先の出隅部とが遮蔽プレートによって覆われ、これにより、火災時に炎、煙、熱が隣室に侵入するのを効果的に防ぐことができる。また、遮蔽プレートは、引戸に直に固定されないので、引戸の戸先部分への加熱を抑えることができる。
（６）少なくとも火災時に遮蔽プレートが作動して縦枠の内面に沿った位置から引戸側に向けて回動することにより、引戸の閉鎖状態において、閉鎖した引戸の背面に遮蔽プレートがほぼ当接するため、縦枠の内面と引戸の背面との隙間から炎、煙、熱が隣室に侵入するの防ぐことができる。
（７）少なくとも火災時に遮蔽プレートが作動して横枠に沿った位置から引戸側に向けて回動することにより、引戸の閉鎖状態において、閉鎖した引戸の背面に遮蔽プレートがほぼ当接するため、横枠の内面と引戸の背面との隙間から炎、煙、熱が隣室に侵入するの防ぐことができる。
（８）少なくとも火災時に遮蔽プレートが作動して床部に沿った位置から引戸側に向けて回動することにより、引戸の閉鎖状態において、閉鎖した引戸の背面に遮蔽プレートがほぼ当接するため、床部と引戸の背面との隙間から炎、煙、熱が隣室に侵入するの防ぐことができる。
【発明を実施するための最良の形態】
【０００７】
本発明の実施例を挙げ、図面を参照して説明するが、本発明は以下の形態に限定されるものではなく、本発明の要旨の範囲で種々の変形、付加等が可能である。
【実施例】
【０００８】
（全体概要）
図１は遮蔽プレートの非作動状態における出入口の正面図、図２は遮蔽プレートの作動状態における出入口の正面図、図３は遮蔽プレートの非作動状態における出入口の背面図、図４は遮蔽プレートの作動状態における出入口の背面図である。図１，３は、破線で示す引戸１０が開放された状態を示し、図２，４は引戸１０が閉鎖された状態を示している。作動状態の遮蔽プレートをわかり易くするため、ハッチングで示している。ガイドローラーは一部、図示省略している。
本実施例において、防火装置は、合計６箇所に設けられている。
各防火装置は、夫々の位置において、吊下げ式の引戸の閉鎖状態において引戸と出入口となる開口部との間に形成される隙間を塞ぐ可動式の遮蔽プレートを備えてなる。
図１，図２に示すように、戸尻側の防火装置１の遮蔽プレート２０が、出入口となる開口部Ｏの戸尻側の縦辺位置に、鉛直方向を軸心として回動可能に設けられている。また、戸先側の防火装置２の遮蔽プレート４０が、出入口となる開口部Ｏの戸先側の縦辺位置に、鉛直方向を軸心として回動可能に設けられている。
図３，図４に示すように、縦枠内面側の防火装置３，３の遮蔽プレート５０，５０が、開口部Ｏを形成する縦枠６，６の内面の端部に、鉛直方向を軸心として回動可能に設けられている。
また、横枠７の内面に位置する防火装置４の遮蔽プレート６０が、開口部Ｏを形成する横枠７の内面の端部に、水平方向を軸心として回動可能に設けられている。
また、床部に位置する防火装置５遮蔽プレート７０が、開口部Ｏを形成する床部に、水平方向を軸心として回動可能に設けられている。
出入口となる開口部Ｏは、通常、左右の縦枠６，６と上部の横枠７からなる三方枠と床部とで形成される。縦枠６，６と横枠７の内部には、引戸１０の背面と接触して気密性を保持するためのガスケット８が設けられている（図５、図１０参照）。
このガスケット８は、気密性を保持するに適したゴム製、合成樹脂製のものが使用される。望ましくは、耐熱性に優れるシリコーンゴム、フッ素ゴム等の素材からなり、断面ロ字状をなすとともに、その一辺部に断面Ｔ字状に突出する係止部を有し、該係止部と対向する辺部にはその角部から斜めに突出するヒレ部を有し、このヒレ部が枠に設けた透孔から突出し、引戸１０の背面と当接して気密性を保持する。
【０００９】
（引戸）
符号１０は引戸（本体）を示す。引戸１０は、図１，２，１０に示すように、レール１１に係合する吊車１２を介して吊り下げられた吊下げ式である。符号１３は開閉を行う際に掴む引き棒（取っ手）である。
引戸１０は、防火戸、すなわち建築物の火災時の延焼を防ぐために設置される難燃性の戸であって、建築基準法に規定された防火設備又は特定防火設備の基準を満たすものが好適に用いられる。
引戸１０の吊下げ構造は、各種吊下げ構造を適用することができ、特に限定されない。
また、引戸は、その自重で自動的に閉まる自閉装置を備えたものとして構成することができる。
【００１０】
＜戸尻側の防火装置＞
図５は出入口部を模式的に示す平断面図で、戸尻側の防火装置１、戸先側の防火装置２及び縦枠内面側の防火装置３，３が示されている。同図は引戸１０の閉鎖状態における平面図である。ハッチングは省略している。
図５において、（ａ）は、遮蔽プレート２０，４０，５０がロック機構３０によって所定位置に固定された状態を示し、（ｂ）は、ロック機構３０による遮蔽プレート２０，４０，５０の所定位置における固定が解除された状態を示す。
図６〜８はロック機構３０の説明図、図９は引戸の開閉と関連した動作を説明する平断面図である。
【００１１】
（遮蔽プレート）
遮蔽プレート２０は、引戸１０の高さに相当する高さＨ（図１参照）と引戸１０の厚さＷ１より大きい幅Ｗ２（図５参照）を有する基板部２１と、該基板部２１の幅方向の先端部にほぼ直角に曲げられた屈曲部２２を有し、断面Ｌ字状に形成されている。遮蔽プレート２０は、金属板その他の難燃性材料からなる。
図５に示すように、遮蔽プレート２０は、屈曲部２２と反対側の端部において、開口部Ｏの戸尻側の縦辺位置に、鉛直方向を軸心として回動可能に設けられている。図示の例では、遮蔽プレート２０は、基板部２１と対をなす固定板２４と組み合わされて回動部（軸心）２３を備えたヒンジを形成しており、回動部２３は縦枠６の外側面側に位置し、この外側面と間仕切り９（壁部）とで形成される入隅部近傍に位置する態様で、固定板２４が間仕切り９に固定されている。
また、遮蔽プレート２０の、基板部２１における屈曲部２２が起立する側（閉鎖した引戸の戸尻を覆う面側）の面には、遮蔽プレート２０の長手方向の適宜箇所（単数でも複数箇所でもよい。通常、数箇所程度。）には、引戸の開閉時に引戸の背面に当接可能なガイドローラー２５が回転可能に設けられている。ガイドローラー２５は、耐摩耗性を有する適宜材料によって構成される。ガイドローラー２５の支持構造は、図示要略するが、特に限定されない。
【００１２】
（ロック機構）
遮蔽プレート２０は、出入口側の所定位置にロック機構３０によって、固定し得るようになっている。出入口側の所定位置は、引戸１０の開閉に際し、引戸１０に対して遮蔽プレート２０が離隔して接触せず、干渉しない位置であり、この実施例では、遮蔽プレート２０（基板部２１）が間仕切り９と引戸１０の背面までのクリアランスＴ１内にあって、基板部２１は間仕切り９又は引戸１０とほぼ平行になる状態としている。
ロック機構３０としては、機械的手段や電磁石を用いた電気的手段等、種々の構造のものが適用可能であるが、この実施例では、機械的手段を用いている。
図６は、ロック機構３０による遮蔽プレート２０の固定状態を示す説明図で、（ａ）は正面図、（ｂ）は平面図である。図７は、ロック機構３０による遮蔽プレート２０の固定が解除された状態を示す説明図で、（ａ）は正面図、（ｂ）は平面図である。
すなわち、図６、図７に示すように、遮蔽プレート２０の基板部２１の裏面（屈曲部２２が起立する方向と反対側）に鉤状の係止部２１ａが突出形成されており、一方、ロック機構３０の内部には、該ロック機構３０内に挿入される係止部２１ａに係脱可能なロックバー３１が設けられている。このロックバー３１が係止部２１ａに係止することによって、遮蔽プレート２０は所定位置に固定される。
【００１３】
（解除機構）
また、上記ロック機構３０による遮蔽プレート２０の所定位置における固定は、火災時に、図示しないセンサー（熱センサー、煙センサー等）や温度ヒューズ等と連動して解除されるようになっている。
この解除機構は、ソレノイド等のアクチュエータを用いて構成することができる。例えば、上記のロック機構３０のロックバー３１は、センサーや温度ヒューズと連動するソレノイドによって作動し、係止部２１ａとの係止を解く。
また、火災時における上記解除機構とは別に、センサー等との連動によらず、通常時において、任意にロック機構３０を解除可能な機構（ロック機構を働かせない選択手段）を備える。
【００１４】
（遮蔽プレートの作動）
上記のロック機構及び解除機構によって、通常の使用時においてロック機構３０によって遮蔽プレート２０を所定位置に固定し得るとともに、火災時には、ロック機構３０による固定が解除され、遮蔽プレート２０が作動する。
遮蔽プレート２０の作動は、出入口側の所定位置から引戸１０側に向けて回動する動きである。この回動により、図５（ｂ）に示すように、引戸１０の閉鎖状態において、引戸１０と出入口となる開口部Ｏとの間に形成される隙間Ｓが遮蔽プレート２０によって塞がれるとともに、閉鎖した引戸の戸尻１３と、開口部と反対側（引戸１０の正面側）の戸尻の出隅部（角部）１３ａとが遮蔽プレート２０によって覆われる。
遮蔽プレート２０の作動は、駆動モータ等の駆動手段を用いた構成を採用することも可能であるが、本実施例では、遮蔽プレート２０に、出入口側の所定位置から引戸１０側に向けて回動させるバネ力が付勢されている。そして、この状態で、ロック機構３０に遮蔽プレート２０が出入口側の所定位置に固定されている。したがって、ロック機構３０による固定が解除されると、遮蔽プレート２０はそのバネ力によって出入口側の所定位置から引戸１０側に向けて自動的に回動する。なお、遮蔽プレート２０に対するバネによる付勢手段の図示は省略するが、その構造は限定されない。
【００１５】
（実施例の遮蔽プレートの動作説明）
図６は、ロック機構３０による遮蔽プレート２０の固定状態を示す説明図で、（ａ）は正面図、（ｂ）は平面図である。図７は、ロック機構３０による遮蔽プレート２０の固定が解除された状態を示す説明図で、（ａ）は正面図、（ｂ）は平面図である。
図６は、通常時において、遮蔽プレート２０がロック機構３０によって所定位置に固定された状態である。図７は、火災時などにロック機構３０による遮蔽プレート２０の所定位置における固定が解除された状態である。
前記のとおり、遮蔽プレート２０の基板部２１の裏面には、鉤状の係止部２１ａが突出形成されている。符号２１ｂは係止部２１ａを基板部２１に固定するための補助片である。図６に示す通常時では、ロック機構３０の内部に設けられたロックバー３１に、係止部２１ａが係止されている。そして、遮蔽プレート２０には、出入口側の所定位置から引戸１０側に向けて回動させるバネ力が付勢されている。
火災時には、ロック機構３０のロックバー３１は、センサーや温度ヒューズと連動して回動し（図６（ａ）に矢印で図示）、これによって図７に示すとおり、ロックバー３１と係止部２１ａとの係止が解かれる（通常時において、ロック機構３０による固定の解除を選択した場合も同様である。）。そうすると、遮蔽プレート２０には、出入口側の所定位置から引戸１０側に向けて回動させるバネ力が付勢されているので、遮蔽プレート２０はそのバネ力によって出入口側の所定位置から引戸１０側に向けて自動的に回動し（図６（ｂ）に矢印で図示）、これによって図７に示すとおり、元の所定位置から約９０°回動する。
さらに、図６（ａ）に示すロック機構３０による遮蔽プレート２０の固定状態（初期状態）に戻すには、図８（ａ）に示すように、ロックバー３０をセンサーや温度ヒューズと連動させて元の位置に復帰させるとともに、遮蔽プレート２０を手動によって図８（ｂ）の矢印に示すように回動させて所定の位置に戻し、係止部２１ａをロックバー３０に係止すればよい。
【００１６】
（引戸の開閉との関連における動作説明）
図５は、引戸１０の閉鎖状態における平面図であり、（ａ）は遮蔽プレート２０がロック機構３０によって所定位置に固定された状態を示し、（ｂ）は、ロック機構３０による遮蔽プレート２０の所定位置における固定が解除された状態を示す。
図５（ａ）の状態から、遮蔽プレート２０が作動して出入口側の所定位置から引戸側に向けて９０°回動して戸尻１３に当接することにより、図５（ｂ）の状態へとなり、引戸１０の閉鎖状態において、引戸１０と出入口となる開口部Ｏ（縦枠６）との間に形成される隙間Ｓが塞がれるとともに、閉鎖した引戸１０の戸尻１３と、開口部と反対側の戸尻１３の出隅部１３ａとが遮蔽プレート２０によって覆われ、これにより、火災時に炎、煙、熱が隣室に侵入するのを効果的に防ぎ、また引戸１０の戸尻部分１３への加熱を抑えることができる。
なお、戸尻１３には、ガイドローラー２５が遊嵌する凹部１４が形成されており、遮蔽プレート２０が閉鎖した引戸１０の戸尻１３を覆う際の支障はない。
【００１７】
図９は、引戸１０の開放状態における平面図であり、（ａ）は遮蔽プレート２０がロック機構３０によって所定位置に固定された状態を示し、（ｂ）は、ロック機構３０による遮蔽プレート２０の所定位置における固定が解除された状態を示す。
図９（ａ）の状態から、遮蔽プレート２０が作動して出入口側の所定位置から引戸側に向けて回動することにより、図９（ｂ）の状態へとなる。このとき、遮蔽プレート２０は、引戸１０の背面に当たることになるが、遮蔽プレート２０の、閉鎖した引戸１０の戸尻１３を覆う面側に、引戸の開閉時に引戸の背面に当接可能なガイドローラー２５を備えているので、遮蔽プレート２０の屈曲部２２が引戸１０の背面に接触するのが防止され、引戸が動く際に傷つくこともなく、スムースに引戸１０の開閉が行われる。そして図９（ｂ）に示す状態から、引戸１０が閉じられると、遮蔽プレート２０はさらに引戸側に向けて回動し、図５（ｂ）に示す状態となる。
なお、上記引戸の閉鎖状態及び開放状態における、遮蔽プレート２０の所定位置における固定が解除された状態は、火災時にロック機構３０による固定が解除される場合と、通常の使用時において任意にロック機構３０を解除している場合との二通りがある。
火災時にロック機構３０による固定が解除されることにより、遮蔽プレート２０が作動するようにすれば、通常の使用時において引戸１０の開閉の都度、遮蔽プレート２０が動作することはなく、必要最小限の動作が保障される。また、通常の使用時においてロック機構を解除することを選択すれば、引戸の開閉に追随して遮蔽プレートが回動するため、火災時に限らず、通常時でも遮蔽プレートが作動するため、安心で確実である。
【００１８】
＜戸先側の防火装置＞
戸先側の防火装置２は、出入口となる開口部Ｏの戸先側の縦辺位置に、鉛直方向を軸心として回動可能に設けられており、その構造は、戸尻側の防火装置１と基本的と共通する部分が多い。
（遮蔽プレート）
遮蔽プレート４０の形状、構造、動作、材質等、基本的に、戸尻側の防火装置１の遮蔽プレート２０と共通している。したがって、重複する説明は適宜省略する。
図５に示すとおり、遮蔽プレート４０は、出入口において、遮蔽プレート２０とほぼ左右対称な位置に設けられている。主な相違点は、ガイドローラーを備えていない点である。
遮蔽プレート４０は、引戸１０の高さに相当する高さＨ（図１参照）と引戸１０の厚さＷ１より大きい幅Ｗ３（図５参照）を有する基板部４１と、該基板部４１の幅方向の先端部にほぼ直角に曲げられた屈曲部４２を有し、断面Ｌ字状に形成されている。
遮蔽プレート４０は、屈曲部４２と反対側の端部において、開口部Ｏの戸尻側の縦辺位置に、鉛直方向を軸心として回動可能に設けられている。図示の例では、遮蔽プレート４０は、基板部４１と対をなす固定板４４と組み合わされて回動部（軸心）４３を備えたヒンジを形成しており、回動部４３は縦枠６の外側面側に位置し、この外側面と間仕切り９（壁部）とで形成される入隅部近傍に位置する態様で、固定板４４が間仕切り９に固定されている。
【００１９】
（ロック機構・解除機構）
ロック機構３０及びその解除機構は、戸尻側の防火装置１と特に変わるところはないので、その説明を省略する。遮蔽プレート４０の係止部４１ａは、遮蔽プレート２０の係止部２１ａに相当する。
また、戸尻側の防火装置１と同様、遮蔽プレート４０には、出入口側の所定位置から引戸１０側に向けて回動させるバネ力が付勢されている。この出入口側の所定位置は、遮蔽プレート４０の基板部４１が間仕切り９にほぼ平行に沿う状態としている。そして、この所定位置にロック機構３０によって、固定し得るようになっている。したがって、ロック機構３０による固定が解除されると、遮蔽プレート４０はそのバネ力によって出入口側の所定位置から引戸１０側に向けて自動的に回動する。
【００２０】
（動作説明）
図５は、引戸１０の閉鎖状態における平面図であり、（ａ）は遮蔽プレート４０がロック機構３０によって所定位置に固定された状態を示し、（ｂ）は、ロック機構３０による遮蔽プレート４０の所定位置における固定が解除された状態を示す。
図５（ａ）の状態から、遮蔽プレート４０が作動して出入口側の所定位置から引戸側に向けて９０°回動して戸先１５に当接することにより、図５（ｂ）の状態へとなり、引戸１０の閉鎖状態において、引戸１０と出入口となる開口部Ｏ（縦枠６）との間に形成される隙間Ｓ２が塞がれるとともに、閉鎖した引戸１０の戸先１５と、開口部と反対側の戸先１５の出隅部１５ａとが遮蔽プレート２０によって覆われ、これにより、火災時に炎、煙、熱が隣室に侵入するのを効果的に防ぎ、引戸１０の戸先部分１５への加熱を抑えることができる。
上記の動作は、引戸１０の開放状態においても同様である。この場合、縦枠６の外側面が遮蔽プレート４０の回動時のストッパーとなる。
なお、遮蔽プレート２０の所定位置における固定が解除された状態は、火災時にロック機構３０による固定が解除される場合と、通常の使用時において任意にロック機構３０を解除している場合との二通りがある点は、戸尻側の防火装置１と同様である。
【００２１】
＜縦枠内面側の防火装置＞
縦枠内面側の防火装置３，３は、開口部Ｏを形成する縦枠６，６の内面の端部に、鉛直方向を軸心として回動可能に設けられている。その構造は、戸先側の防火装置１及び戸尻側の防火装置２と基本的に共通する部分が多い。図示の例では、左右両側すなわち戸先側及び戸尻側の両側に設けられているが、必要に応じて片側のみに設けることもできる。
（遮蔽プレート）
遮蔽プレート５０の構造、動作、材質等、基本的に、既に述べた戸尻側の防火装置１の遮蔽プレート２０と共通しており、重複する説明は適宜省略する。
図５に示すとおり、遮蔽プレート５０は、引戸１０の高さにほぼ相当する高さ（図４参照）を有する平板状の基板部５１により形成されており、戸尻側の防火装置１における遮蔽プレート２０のような屈曲部２２がない点で相違する。基板部５１の幅は通常４〜７ｃｍ程度である。ガイドローラー５５を備えている点は、戸尻側の防火装置１と同様である。
遮蔽プレート５０は、開口部Ｏを形成する縦枠６の内面の端部に、鉛直方向を軸心として回動可能に設けられている。図示の例では、遮蔽プレート５０は、基板部５１と対をなす固定板５４と組み合わされて回動部（軸心）５３を備えたヒンジを形成しており、回動部５３は縦枠６の内側面に位置し、この内側面と引戸１０とで形成される入隅部近傍に位置する態様で、固定板５４が縦枠６に固定されている。
【００２２】
（ロック機構・解除機構）
ロック機構３０及びその解除機構は、戸尻側の防火装置１と特に変わるところはないので、その説明を省略する。遮蔽プレート５０の係止部５１ａは、遮蔽プレート２０の係止部２１ａに相当する。
また、戸尻側の防火装置１と同様、遮蔽プレート５０には、出入口側の所定位置から引戸１０側に向けて回動させるバネ力が付勢されている。この出入口側の所定位置は、遮蔽プレート５０（基板部５１）が縦枠６の内面に沿った位置であり、この実施例では、縦枠６の内面端部には凹部が形成されており、この凹部において、遮蔽プレート５０が内面に沿った位置に納まり、出っ張ることがないようにしている。そして、この所定位置にロック機構３０によって、固定し得るようになっている。したがって、ロック機構３０による固定が解除されると、遮蔽プレート５０はそのバネ力によって出入口側の所定位置から引戸１０側に向けて自動的に回動する。
【００２３】
（動作説明）
図５は、引戸１０の閉鎖状態における平面図であり、（ａ）は遮蔽プレート５０がロック機構３０によって所定位置に固定された状態を示し、（ｂ）は、ロック機構３０による遮蔽プレート５０の所定位置における固定が解除された状態を示す。
図５（ａ）の状態から、遮蔽プレート５０が作動して出入口側の所定位置から引戸側に向けて９０°回動して引戸１０の背面に当接することにより、図５（ｂ）の状態へとなり、引戸１０の閉鎖状態において、引戸１０と出入口となる開口部Ｏとの間に形成される隙間Ｓ３が塞がれ、これにより、火災時に炎、煙、熱が隣室に侵入するのを効果的に防ぐことができる。
上記の動作は、引戸１０の開放状態においても同様である。この場合、戸先側に位置する縦枠内面側の防火装置３の遮蔽プレート５０について、その回動角度を約９０°に規制するストッパーを設けるとよい。
なお、遮蔽プレート５０の所定位置における固定が解除された状態は、火災時にロック機構３０による固定が解除される場合と、通常の使用時において任意にロック機構３０を解除している場合との二通りがある点、戸尻側の防火装置１と同様である。ただし、通常の使用時において、遮蔽プレート５０の固定が解除されている状態であると、邪魔になり易いので、通常の使用時において、ロック機構３０によって遮蔽プレート５０を所定位置に固定しておくとともに、火災時にロック機構３０による固定が解除されることにより、遮蔽プレート５０が作動するのを選択するのが望ましい。
【００２４】
＜横枠の内面に位置する防火装置＞
横枠７の内面に位置する防火装置４は、開口部Ｏを形成する横枠７の内面の端部に、水平方向を軸心として回動可能に設けられている。その構造は、縦枠内面側の防火装置３と共通する部分が多い。横枠７の内面に位置する防火装置４の遮蔽プレート６０は、縦枠内面側の防火装置３と異なり、水平方向を軸心として回動可能に設けられている点が大きく相違する。
（遮蔽プレート）
遮蔽プレート６０の構造、動作、材質等、基本的に、既に述べた縦枠６の内面に位置する防火装置３の遮蔽プレート５０と共通しており、重複する説明は適宜省略する。
遮蔽プレート５０は、開口部Ｏの幅に相当する横方向の長さ（図４参照）を有する平板状の基板部６１により形成されており、図１０に示すとおり、戸尻側の防火装置１における遮蔽プレート２０のような先端部の屈曲部２２はない。基板部６１の幅は通常４〜７ｃｍ程度である。ガイドローラー６５を備えている点は、戸尻側の防火装置１と同様である。ただし、ガイドローラー６５の回転軸は、遮蔽プレート６０の幅方向となる。
遮蔽プレート６０は、開口部Ｏを形成する横枠７の内面の端部に、水平方向を軸心として回動可能に設けられている。図示の例では、遮蔽プレート６０は、基板部６１と対をなす固定板６４と組み合わされて回動部（軸心）６３を備えたヒンジを形成しており、回動部６３は横枠７の内側面に位置し、この内側面と引戸１０とで形成される入隅部近傍に位置する態様で、固定板６４が横枠６に固定されている。
【００２５】
（ロック機構・解除機構）
ロック機構３０及びその解除機構は、戸尻側の防火装置１と特に変わるところはないので、その説明を省略する。遮蔽プレート６０の係止部６１ａは、遮蔽プレート２０の係止部２１ａに相当する。
また、戸尻側の防火装置１と同様、遮蔽プレート６０には、出入口側の所定位置から引戸１０側に向けて回動させるバネ力が付勢されている。この出入口側の所定位置は、遮蔽プレート６０（基板部６１）が横枠７の内面に沿った位置であり、この実施例では、横枠７の内面端部には凹部が形成されており、この凹部において、遮蔽プレート６０が内面に沿った位置に納まり、出っ張ることがないようにしている。そして、この所定位置にロック機構３０によって、固定し得るようになっている。したがって、ロック機構３０による固定が解除されると、遮蔽プレート６０はそのバネ力によって出入口側の所定位置から引戸１０側に向けて自動的に回動する。
【００２６】
（動作説明）
図１０は、引戸１０の閉鎖状態における側面（断面）図であり、遮蔽プレート６０がロック機構３０によって所定位置に固定された状態を示し、図１１は、引戸１０の閉鎖状態における側面（断面）図であり、ロック機構３０による遮蔽プレート６０の所定位置における固定が解除された状態を示す。
図１０の状態から、遮蔽プレート６０が作動して出入口側の所定位置から引戸側に向けて９０°回動して引戸１０の背面に当接することにより、図１１の状態へとなり、引戸１０の閉鎖状態において、引戸１０と出入口となる開口部Ｏとの間に形成される隙間Ｓ４が塞がれ、これにより、火災時に炎、煙、熱が隣室に侵入するのを効果的に防ぐことができる。
上記の動作は、引戸１０の開放状態においても同様である。この場合、遮蔽プレート６０について、その回動角度を約９０°に規制するストッパーを設けるとよい。
なお、遮蔽プレート６０の所定位置における固定が解除された状態は、火災時にロック機構３０による固定が解除される場合と、通常の使用時において任意にロック機構３０を解除している場合との二通りがある点、戸尻側の防火装置１と同様である。ただし、通常の使用時において、遮蔽プレート６０の固定が解除されている状態であると、邪魔になり易いので、通常の使用時において、ロック機構３０によって遮蔽プレート６０を所定位置に固定しておくとともに、火災時にロック機構３０による固定が解除されることにより、遮蔽プレート６０が作動するのを選択するのが望ましい。
【００２７】
＜床部に位置する防火装置＞
床部に位置する防火装置５は、開口部Ｏを形成する床部（引戸１０の背面側）に、水平方向を軸心として回動可能に設けられている。その構造は、横枠内面に位置する防火装置４と共通する部分が多い。横枠内面に位置する防火装置４を上下方向に反転させ、ほぼ上下対称に位置している点が大きく相違する。
（遮蔽プレート）
床部に位置する防火装置５の遮蔽プレート７０の構造、動作、材質等、基本的に、前記横枠７の内面に位置する防火装置４の遮蔽プレート６０と共通しており、重複する説明は適宜省略する。
遮蔽プレート７０は、開口部Ｏの幅に相当する横方向の長さ（図４参照）を有する平板状の基板部７１により形成されており、図１０に示すとおり、戸尻側の防火装置１における遮蔽プレート２０のような先端部の屈曲部２２はない。基板部７１の幅は通常４〜７ｃｍ程度である。ガイドローラー７５を備えている点は、戸尻側の防火装置１と同様である。ただし、ガイドローラー７５の回転軸は、遮蔽プレート７０の幅方向となる。
遮蔽プレート７０は、開口部Ｏを形成する床部（引戸１０の背面側）に、水平方向を軸心として回動可能に設けられている。図示の例では、遮蔽プレート７０は、基板部７１と対をなす固定板７４と組み合わされて回動部（軸心）７３を備えたヒンジを形成しており、回動部７３は床部に形成された凹部に位置し、この凹部と引戸１０とで形成される入隅部近傍に位置する態様で、固定板７４が床部に形成された凹部に固定されている。
【００２８】
（ロック機構・解除機構）
ロック機構３０及びその解除機構は、戸尻側の防火装置１と特に変わるところはないので、その説明を省略する。遮蔽プレート７０の係止部７１ａは、遮蔽プレート２０の係止部２１ａに相当する。
また、戸尻側の防火装置１と同様、遮蔽プレート７０には、出入口側の所定位置から引戸１０側に向けて回動させるバネ力が付勢されている。この出入口側の所定位置は、遮蔽プレート７０（基板部７１）が床部に沿った位置であり、この実施例では、床部に凹部が形成されており、この凹部において、遮蔽プレート７０がこの凹部に沿った位置に納まり、出っ張ることがないようにしている。そして、この所定位置にロック機構３０によって、固定し得るようになっている。したがって、ロック機構３０による固定が解除されると、遮蔽プレート７０はそのバネ力によって出入口側の所定位置から引戸１０側に向けて自動的に回動する。
【００２９】
（動作説明）
図１０は、引戸１０の閉鎖状態における側面（断面）図であり、遮蔽プレート７０がロック機構３０によって所定位置に固定された状態を示し、図１１は、引戸１０の閉鎖状態における側面（断面）図であり、ロック機構３０による遮蔽プレート７０の所定位置における固定が解除された状態を示す。
図１０の状態から、遮蔽プレート７０が作動して出入口側の所定位置から引戸側に向けて９０°回動して引戸１０の背面に当接することにより、図１１の状態へとなり、引戸１０の閉鎖状態において、引戸１０と出入口となる開口部Ｏとの間に形成される隙間Ｓ５が塞がれ、これにより、火災時に炎、煙、熱が隣室に侵入するのを効果的に防ぐことができる。
上記の動作は、引戸１０の開放状態においても同様である。この場合、遮蔽プレート７０について、その回動角度を約９０°に規制するストッパーを設けるとよい。
なお、遮蔽プレート７０の所定位置における固定が解除された状態は、火災時にロック機構３０による固定が解除される場合と、通常の使用時において任意にロック機構３０を解除している場合との二通りがある点も同様である。ただし、通常の使用時において、遮蔽プレート７０の固定が解除されている状態であると、邪魔になり易いので、通常の使用時において、ロック機構３０によって遮蔽プレート７０を所定位置に固定しておくとともに、火災時にロック機構３０による固定が解除されることにより、遮蔽プレート７０が作動するのを選択するのが望ましい。
【図面の簡単な説明】
【００３０】
【図１】遮蔽プレートの非作動状態における出入口の正面図である。
【図２】遮蔽プレートの作動状態における出入口の正面図である。
【図３】遮蔽プレートの非作動状態における出入口の背面図である。
【図４】遮蔽プレートの作動状態における出入口の背面図である。
【図５】出入口部を模式的に示す平断面図で、（ａ）は、遮蔽プレート２０，４０，５０がロック機構３０によって所定位置に固定された状態を示し、（ｂ）は、ロック機構３０による遮蔽プレート２０，４０，５０の所定位置における固定が解除された状態を示す。
【図６】ロック機構３０による遮蔽プレート２０の固定状態を示す説明図で、（ａ）は正面図、（ｂ）は平面図である。
【図７】ロック機構３０による遮蔽プレート２０の固定が解除された状態を示す説明図で、（ａ）は正面図、（ｂ）は平面図である。
【図８】ロック機構３０の説明図であり、（ａ）は正面図、（ｂ）は平面図である。
【図９】引戸１０の開放状態における平面図であり、（ａ）は遮蔽プレート２０がロック機構３０によって所定位置に固定された状態を示し、（ｂ）はロック機構３０による遮蔽プレート２０の所定位置における固定が解除された状態を示す。
【図１０】引戸１０の閉鎖状態における側面（断面）図であり、遮蔽プレート６０，７０がロック機構３０によって所定位置に固定された状態を示す。
【図１１】引戸１０の閉鎖状態における側面（断面）図であり、ロック機構３０による遮蔽プレート６０，７０の所定位置における固定が解除された状態を示す。
【符号の説明】
【００３１】
１  （戸尻側の）防火装置
２  （戸先側の）防火装置
３  （縦枠内面側の）防火装置
４  （横枠の内面に位置する）防火装置
５  （床部に位置する）防火装置
６  縦枠
７  横枠
９  間仕切り
１０  引戸
１３  戸尻
１３ａ  開口部と反対側の戸尻の出隅部
１５  戸先
２０，４０，５０，６０，７０  遮蔽プレート
２１，４１，５１，６１，７１  基板部
２２，４２  屈曲部
２５，４５，５５，６５，７５  ガイドローラー
３０  ロック機構
Ｏ  開口部
Ｓ，Ｓ２，Ｓ３，Ｓ４，Ｓ５  隙間
【図１】
2010068946.tif 000003
【図２】
2010068946.tif 000004
【図３】
2010068946.tif 000005
【図４】
2010068946.tif 000006
【図５】
2010068946.tif 000007
【図６】
2010068946.tif 000008
【図７】
2010068946.tif 000009
【図８】
2010068946.tif 000010
【図９】
2010068946.tif 000011
【図１０】
2010068946.tif 000012
【図１１】
2010068946.tif 000013